(57)【要約】【課題】ユーザが、２以上の画像ファイルを含む画像ファイル群に属する画像ファイルを個別に選択することができると共に、目的のファイルを選択しやすい【解決手段】デジタルカメラ２０は、フラッシュメモリ２６に記憶された画像ファイルが、ＲＡＷファイルとこのＲＡＷファイルに基づいて生成されるＪＰＥＧファイルとを含む画像ファイル群に属するか否かを判定し、画像ファイル群に属する画像ファイルの画像と、画像ファイル群に属さない単画像ファイルの画像とを異なる態様で且つ、選択可能に表示し、画像ファイル群の画像が選択されたあと、画像ファイル群に属するいずれに削除処理を行うかをユーザが選択可能な文字で表示する。このように、画像ファイル群の画像では、複数の画像のうち１つの画像が表示され、いずれの画像ファイルに削除処理を行うかを文字として表示する。【選択図】図１
2008109631.tif 000002
【特許請求の範囲】
【請求項１】
画像を表示可能な表示手段と、
画像ファイルを記憶手段から取得する取得手段と、
前記取得した画像ファイルが、元画像ファイル及び／又は該元画像ファイルに基づいて生成された生成画像ファイルの２以上の画像ファイルを含む画像ファイル群に属するか否かを判定する判定手段と、
前記判定手段によって前記画像ファイルが前記画像ファイル群に属すると判定されたときには、前記画像ファイル群に属する画像ファイルのうち１つの画像をユーザにより選択可能な態様で前記表示手段に表示させ、該画像ファイル群に属するいずれの画像ファイルに所定の処理を行うかの情報をユーザが選択可能な文字、図形又は記号として前記表示手段に表示させる制御手段と、
を備えた画像表示制御装置。
【請求項２】
前記判定手段は、前記元画像ファイルとしての非圧縮又は可逆圧縮ファイルである現像前のＲＡＷファイルと、前記生成画像ファイルとしての非可逆圧縮ファイルである現像後のＪＰＥＧファイルとを含む画像ファイル群に属するか否かを判定する、請求項１に記載の画像表示制御装置。
【請求項３】
前記制御手段は、前記画像ファイル群に属するいずれの画像ファイルに所定の処理を行うかの情報をユーザが選択可能な文字、図形又は記号として表示させるに際して、選択されると前記元画像ファイルと生成画像ファイルとのうちいずれか一方が選択されるよう予め定められた前記所定の処理を表す文字、図形又は記号を前記表示手段に表示させる、請求項１又は２に記載の画像表示制御装置。
【請求項４】
前記制御手段は、前記画像ファイル群に属する画像ファイルのうち１つの画像をユーザにより選択可能な態様で前記表示手段に表示させたあと、前記画像ファイル群の画像が選択されており、前記画像ファイル群に属するいずれの画像ファイルに所定の処理を行うかの情報をユーザが選択可能な文字、図形又は記号として表示させているときに、前記画像ファイル群に属する前記元画像ファイルの画像と前記生成画像ファイルの画像とを対比可能な態様で前記表示手段に表示させる、請求項１〜３のいずれか１項に記載の画像表示制御装置。
【請求項５】
請求項１〜４のいずれか１項に記載の画像表示制御装置であって、
前記表示手段に表示されている画像をユーザが選択可能な選択手段、を備え、
前記制御手段は、前記判定手段によって前記画像ファイル群に属すると判定された画像ファイルの画像と、前記判定手段によって前記画像ファイル群に属しないと判定された単画像ファイルの画像とを選択可能な態様で前記表示手段に表示させ、前記選択手段によって前記画像ファイル群に属する画像ファイルの画像が選択されたときには、該画像ファイル群に属するいずれの画像ファイルに所定の処理を行うかの情報をユーザが選択可能な文字、図形又は記号として前記表示手段に表示させる、画像表示制御装置。
【請求項６】
請求項１〜５のいずれか１項に記載の画像表示制御装置であって、
ユーザから前記所定の処理を実行する画像ファイルの選択処理の開始指示を取得する指示取得手段、を備え、
前記判定手段は、前記指示取得手段が前記開始指示を取得したあと、前記記憶手段に記憶されている画像ファイルが前記画像ファイル群に属するか否かを判定する、
画像表示制御装置。
【請求項７】
請求項１〜６のいずれか１項に記載の画像表示制御装置であって、
ユーザの操作により元画像ファイルから生成画像ファイルを生成する際の条件を入力可能な条件入力手段と、
前記入力された生成条件に基づいて前記元画像ファイルから前記生成画像ファイルを生成する生成実行手段と、を備え、
前記制御手段は、前記所定の処理として生成画像ファイルの生成処理が選択されると前記元画像ファイルから前記入力された生成条件で生成画像ファイルを生成させる、画像表示制御装置。
【請求項８】
前記制御手段は、前記所定の処理として画像ファイルの削除処理、複製処理、移動処理、印刷処理及び生成画像ファイルの生成処理のうちいずれかの処理を行うかの情報を前記表示手段に表示させる、請求項１〜７のいずれか１項に記載の画像表示制御装置。
【請求項９】
被写体を撮像可能な撮像手段と、
前記撮像手段によって撮像された情報から画像ファイルを作成し前記記憶手段に記憶させる画像ファイル作成手段と、
請求項１〜８のいずれか１項に記載の画像表示制御装置と、
を備えた撮影装置。
【請求項１０】
画像を表示可能な表示手段と、画像ファイルを記憶可能な記憶手段と、を利用した画像表示方法であって、
（ａ）前記記憶手段に記憶されている画像ファイルが、元画像ファイル及び／又は該元画像ファイルに基づいて生成された生成画像ファイルの２以上の画像ファイルを含む画像ファイル群に属するか否かを判定するステップと、
（ｂ）前記ステップ（ａ）で前記画像ファイルが前記画像ファイル群に属すると判定されたときには、前記画像ファイル群に属する画像ファイルのうち１つの画像をユーザにより選択可能な態様で前記表示手段に表示させ、該画像ファイル群に属するいずれの画像ファイルに所定の処理を行うかの情報をユーザが選択可能な文字、図形又は記号として前記表示手段に表示させるステップと、
を含む画像表示方法。
【請求項１１】
請求項１０に記載の画像表示方法の各ステップを１又は複数のコンピュータに実現させるためのプログラム。
【発明の詳細な説明】
【技術分野】
【０００１】
本発明は、画像表示制御装置、撮影装置、画像表示方法及びそのプログラムに関する。
【背景技術】
【０００２】
従来、撮影装置としては、可逆的に圧縮したＲＡＷファイルとＲＡＷファイルに基づいて生成され非可逆的に圧縮したＪＰＥＧファイルとをメモリに記憶し、これらのファイルを表示するものが提案されている（例えば、特許文献１参照）。
【特許文献１】特開２００５−３３４６８号公報
【発明の開示】
【発明が解決しようとする課題】
【０００３】
ところで、この特許文献１に記載された撮影装置などでは、例えばＲＡＷファイルとこのＲＡＷファイルから生成されたＪＰＥＧファイルとが１組の画像ファイルとして取り扱われ、画像ファイルを選択する画面上にはこのＲＡＷファイルとＲＡＷファイルから生成されたＪＰＥＧファイルとのうち１つの画像のみが表示されることがあった。この場合、例えば表示された画像を選択しようとすると、ＲＡＷファイルとＪＰＥＧファイルとを個別に選択したい場合であっても、ＲＡＷファイルとＪＰＥＧファイルとが一緒に選択されてしまうことがあった。一方、例えばメモリに記憶された画像ファイルを表示する画像ファイルビューワ装置などでは、ＲＡＷファイルとこのＲＡＷファイルから生成されたＪＰＥＧファイルとが別の画像として取り扱われ、画像ファイルを選択する画面上には同じ画像がいくつも表示されてしまうことがあった。この場合、画像ファイルを個別に選択可能であるが、表示される画像数が多くなるため、ユーザは目的のファイルを探し出しにくいことがあった。また、ユーザはＲＡＷファイルを利用して望みの画質（画調）の画像を得たいことがあった。
【０００４】
本発明は、このような課題に鑑みなされたものであり、ユーザが、２以上の画像ファイルを含む画像ファイル群に属する画像ファイルを個別に選択することができると共に、目的のファイルを選択しやすい画像表示制御装置、撮影装置、画像表示方法及びそのプログラムを提供することを目的とする。
【課題を解決するための手段】
【０００５】
本発明は、上述の目的を達成するために以下の手段を採った。
【０００６】
本発明の画像表示制御装置は、
画像を表示可能な表示手段と、
画像ファイルを記憶手段から取得する取得手段と、
前記取得した画像ファイルが、元画像ファイル及び／又は該元画像ファイルに基づいて生成された生成画像ファイルの２以上の画像ファイルを含む画像ファイル群に属するか否かを判定する判定手段と、
前記判定手段によって前記画像ファイルが前記画像ファイル群に属すると判定されたときには、前記画像ファイル群に属する画像ファイルのうち１つの画像をユーザにより選択可能な態様で前記表示手段に表示させ、該画像ファイル群に属するいずれの画像ファイルに所定の処理を行うかの情報をユーザが選択可能な文字、図形又は記号として前記表示手段に表示させる制御手段と、
を備えたものである。
【０００７】
この画像表示制御装置では、記憶された画像ファイルが、元画像ファイルとこの元画像ファイルに基づいて生成される生成画像ファイルとの少なくとも一方を含む２以上の画像ファイルを含む画像ファイル群に属するか否かを判定し、画像ファイル群に属すると判定されたときには、この画像ファイル群に属する画像ファイルのうち１つの画像をユーザにより選択可能な態様で表示し、この画像ファイル群に属するいずれの画像ファイルに所定の処理を行うかの情報をユーザが選択可能な文字、図形又は記号として表示する。このように、複数の画像のうち１つの画像が表示されるため、ユーザが目的のファイルを選択しやすい。また、いずれの画像ファイルに所定の処理を行うかを文字、図形又は記号として表示するため、ユーザが２以上の画像ファイルを含む画像ファイル群に属する画像ファイルを個別に選択することができる。
【０００８】
本発明の画像表示制御装置において、前記判定手段は、前記元画像ファイルとしての非圧縮又は可逆圧縮ファイルである現像前のＲＡＷファイルと、前記生成画像ファイルとしての非可逆圧縮ファイルである現像後のＪＰＥＧファイルとを含む画像ファイル群に属するか否かを判定するものとしてもよい。ＲＡＷファイル及びＪＰＥＧファイルは、ＲＡＷファイルに基づいて現像し圧縮してＪＰＥＧファイルを生成することが多く、同じ被写体の画像であることが多い。したがって、本発明を適用する意義が高い。なお、前記記憶手段は、前記元画像ファイルとしての非圧縮又は可逆圧縮ファイルである現像前のＲＡＷファイルと前記生成画像ファイルとしての非可逆圧縮ファイルである現像後のＪＰＥＧファイルとを含む画像ファイル群を記憶するものとしてもよい。
【０００９】
本発明の画像表示制御装置において、前記制御手段は、前記画像ファイル群に属するいずれの画像ファイルに所定の処理を行うかの情報をユーザが選択可能な文字、図形又は記号として表示させるに際して、選択されると前記元画像ファイルと生成画像ファイルとのうちいずれか一方が選択されるよう予め定められた前記所定の処理を表す文字、図形又は記号を前記表示手段に表示させるものとしてもよい。こうすれば、処理内容を選択するだけで元画像ファイルか生成画像ファイルかに所定の処理がなされるため、ユーザが入力する手間をよりかけずに目的のファイルを選択しやすい。
【００１０】
本発明の画像表示制御装置において、前記制御手段は、前記画像ファイル群に属する画像ファイルのうち１つの画像をユーザにより選択可能な態様で前記表示手段に表示させたあと、前記画像ファイル群の画像が選択されており、前記画像ファイル群に属するいずれの画像ファイルに所定の処理を行うかの情報をユーザが選択可能な文字、図形又は記号として表示させているときに、前記画像ファイル群に属する前記元画像ファイルの画像と前記生成画像ファイルの画像とを対比可能な態様で前記表示手段に表示させるものとしてもよい。こうすれば、ユーザは元画像ファイルの画像と生成ファイルの画像とを確認し、いずれの画像ファイルに対して所定の処理を行うかについて判断しやすいため、目的のファイルを選択しやすい。
【００１１】
本発明の画像表示制御装置において、前記表示手段に表示されている画像をユーザが選択可能な選択手段、を備え、前記制御手段は、前記判定手段によって前記画像ファイル群に属すると判定された画像ファイルの画像と、前記判定手段によって前記画像ファイル群に属しないと判定された単画像ファイルの画像とを選択可能な態様で前記表示手段に表示させ、前記選択手段によって前記画像ファイル群に属する画像ファイルの画像が選択されたときには、該画像ファイル群に属するいずれの画像ファイルに所定の処理を行うかの情報をユーザが選択可能な文字、図形又は記号として前記表示手段に表示させるものとしてもよい。こうすれば、ユーザが画像ファイル群に属する画像と単画像ファイルの画像とを選択しやすい。このとき、前記制御手段は、前記画像ファイル群に属すると判定された画像ファイルの画像と、前記単画像ファイルの画像とを異なる態様で前記表示手段に表示させるものとしてもよい。こうすれば、表示された画像が１つのファイルのものであるか、２以上のファイルが含まれているものであるかを容易に視認することができる。
【００１２】
本発明の画像表示制御装置は、ユーザから前記所定の処理を実行する画像ファイルの選択処理の開始指示を取得する指示取得手段、を備え、前記判定手段は、前記指示取得手段が前記開始指示を取得したあと、前記記憶手段に記憶されている画像ファイルが前記画像ファイル群に属するか否かを判定するものとしてもよい。こうすれば、選択する画像ファイルの画像をユーザの望むときに表示することができる。
【００１３】
本発明の画像表示制御装置は、ユーザの操作により元画像ファイルから生成画像ファイルを生成する際の条件を入力可能な条件入力手段と、前記入力された生成条件に基づいて前記元画像ファイルから前記生成画像ファイルを生成する生成実行手段と、を備え、前記制御手段は、前記所定の処理として生成画像ファイルの生成処理が選択されると前記元画像ファイルから前記入力された生成条件で生成画像ファイルを生成させるものとしてもよい。こうすれば、ユーザは入力した生成条件で望みの画質（画調）の画像を得ることができる。
【００１４】
本発明の画像表示制御装置において、前記制御手段は、前記所定の処理として画像ファイルの削除処理、複製処理、移動処理、印刷処理及び生成画像ファイルの生成処理のうちいずれかの処理を行うかの情報を前記表示手段に表示させるものとしてもよい。画像ファイルの削除処理、複製処理、移動処理、印刷処理及び生成画像ファイルの生成処理は、画像を表示して選択したのち実行することが多いため、本発明を適用する意義が高い。
【００１５】
なお、本発明の画像表示制御装置において、前記制御手段は、前記表示手段に表示する画像数が所定の許容数以上であるときに、前記画像ファイル群に属する画像ファイルのうち１つの画像をユーザにより選択可能な態様で前記表示手段に表示させ、該画像ファイル群に属するいずれの画像ファイルに所定の処理を行うかの情報をユーザが選択可能な文字、図形又は記号として前記表示手段に表示させるものとしてもよい。こうすれば、許容数以上のときに表示する画像の数が低減するため、ユーザが効率よく目的のファイルを選択することができる。また、前記制御手段は、前記記憶手段に記憶された画像ファイルの情報を一時的に記憶するバッファ手段、を備え、前記制御手段は、前記バッファ手段に記憶した前記画像ファイルの情報が所定の許容記憶量を超えたときに、前記画像ファイル群に属する画像ファイルのうち１つの画像をユーザにより選択可能な態様で前記表示手段に表示させ、該画像ファイル群に属するいずれの画像ファイルに所定の処理を行うかの情報をユーザが選択可能な文字、図形又は記号として前記表示手段に表示させるものとしてもよい。こうすれば、バッファ手段に記憶した情報の記憶量を抑えることができるため、処理を円滑に行うことができる。
【００１６】
本発明の撮影装置は、被写体を撮像可能な撮像手段と、前記撮像手段によって撮像された情報から画像ファイルを作成し前記記憶手段に記憶させる画像ファイル作成手段と、上述したいずれかに記載の画像表示制御装置と、を備えたものである。本発明の画像表示制御装置はユーザが、２以上の画像ファイルを含む画像ファイル群に属する画像ファイルを個別に選択することができると共に、目的のファイルを選択しやすい効果を有するものであるから、これを搭載した撮影装置も同様の効果が得られる。
【００１７】
本発明の画像表示方法は、
画像を表示可能な表示手段と、画像ファイルを記憶可能な記憶手段と、を利用した画像表示方法であって、
（ａ）前記記憶手段に記憶されている画像ファイルが、元画像ファイル及び／又は該元画像ファイルに基づいて生成される生成画像ファイルの２以上の画像ファイルを含む画像ファイル群に属するか否かを判定するステップと、
（ｂ）前記ステップ（ａ）で前記画像ファイルが前記画像ファイル群に属すると判定されたときには、前記画像ファイル群に属する画像ファイルのうち１つの画像をユーザにより選択可能な態様で前記表示手段に表示させ、該画像ファイル群に属するいずれの画像ファイルに所定の処理を行うかの情報をユーザが選択可能な文字、図形又は記号として前記表示手段に表示させるステップと、
を含むものである。
【００１８】
この画像表示方法では、記憶された画像ファイルが、元画像ファイルとこの元画像ファイルに基づいて生成される生成画像ファイルとの少なくとも一方を含む２以上の画像ファイルを含む画像ファイル群に属するか否かを判定し、画像ファイル群に属すると判定されたときには、この画像ファイル群に属する画像ファイルのうち１つの画像をユーザにより選択可能な態様で表示し、この画像ファイル群に属するいずれの画像ファイルに所定の処理を行うかの情報をユーザが選択可能な文字、図形又は記号として表示する。このように、複数の画像のうち１つの画像が表示されるため、ユーザが目的のファイルを選択しやすい。また、いずれの画像ファイルに所定の処理を行うかを文字、図形又は記号として表示するため、ユーザが２以上の画像ファイルを含む画像ファイル群に属する画像ファイルを個別に選択することができる。なお、この画像表示方法において、上述した画像表示制御装置の種々の態様を採用してもよいし、また、上述した画像表示制御装置の各機能を実現するようなステップを追加してもよい。
【００１９】
本発明のプログラムは、上述した画像表示方法の各ステップを１又は複数のコンピュータに実現させるためのものである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに各ステップを分担して実行させれば、上述した画像表示方法の各ステップが実行されるため、画像表示方法と同様の作用効果が得られる。
【発明を実施するための最良の形態】
【００２０】
次に、本発明の実施の形態を図面に基づいて説明する。図１は本発明の一実施形態であるデジタルカメラ２０の構成の概略を示す説明図であり、図２は、フラッシュメモリ２６に記憶された情報の説明図である。本実施形態のデジタルカメラ２０は、シャッタボタン２２の押下により被写体を撮像し撮像された情報に基づいて画像ファイルを作成する撮像ユニット２４と、撮像ユニット２４により作成された画像ファイルを保存する不揮発性の記憶媒体であるフラッシュメモリ２６と、各種の情報を表示すると共にユーザが各種の指示を入力可能な操作パネル３０と、デジタルカメラ２０の全体を制御するコントローラ４０とを備えている。なお、コントローラ４０は、撮像ユニット２４やフラッシュメモリ２６、操作パネル３０とバス２８を介して電気的に接続されている。
【００２１】
撮像ユニット２４は、シャッタボタン２２の押下により図示しないシャッタを駆動し被写体により反射した光をレンズを介して入射しＣＣＤなどの撮像素子により光電変換して得られた電気信号に基づいて現像部２４ａにより画像ファイルを作成する周知のユニットとして構成されている。ここでは、得られた電気信号に基づいて、非圧縮又は可逆圧縮した現像前の元画像ファイルとしてのＲＡＷファイルを生成可能であると共に、生成したＲＡＷファイルに現像部２４ａにより周知の画像処理（例えばホワイトバランス処理やガンマ処理など）を施して現像した非可逆圧縮のＪＰＥＧファイルを生成可能に構成されている。このデジタルカメラ２０では、ＲＡＷファイルとこのＲＡＷファイルから生成されるＪＰＥＧファイルとの両方を記憶する元画像記憶モードと、ＪＰＥＧファイルのみを記憶する省記憶量モードとをユーザが切り替えて撮像可能になっている。なお、ここでは、ＲＡＷファイルからＪＰＥＧファイルを生成するものとしたが、撮像素子により得られた電気信号から直接ＪＰＥＧファイルとＲＡＷファイルとを生成するものとしても構わない。
【００２２】
フラッシュメモリ２６は、本体に固定されている不揮発性のフラッシュメモリ２６ａと、装着・装着解除可能な携帯用のメモリカード２６ｂとにより構成されている。フラッシュメモリ２６には、図２に示すように、撮像ユニット２４により撮像された画像ファイルが保存されている。ＪＰＥＧファイルでは、前回作成したファイルに含まれる番号と連番になる４桁の数字を含むファイル名が付与されるよう設定されている。また、ＲＡＷファイルでは、生成されるＪＰＥＧファイルと同じ４桁の数字を含むファイル名が付与されるよう設定されている。これらの画像ファイルは、前回作成したフォルダに含まれる番号と連番になる３桁の数字を含むフォルダ名のフォルダに順次格納される。また、ＲＡＷファイルには、撮影した機器の情報（例えば製造会社名や機器名など）などが格納され、その機器によってはその撮影機器で現像されたサムネイル画像が格納されており、ＪＰＥＧファイルには、撮影した機器の情報及び現像した機器の情報やサムネイル画像などが格納されている。本実施形態では、現像前のＲＡＷファイルとこのＲＡＷファイルを現像して得られるＪＰＥＧファイルとを「画像ファイル群に属する画像ファイル」と称し、ＲＡＷファイルやＪＰＥＧファイルのいずれかのみが保存されている各々を「単画像ファイル」と称するものとする。また、デジタルカメラ２０では、ＲＡＷファイルとこのＲＡＷファイルから生成されるＪＰＥＧファイルとを同一のフォルダに格納するものとし、ＲＡＷファイルやＪＰＥＧファイルのいずれかのみは、そのファイルのみが１つのフォルダに格納されるものとした。このように、デジタルカメラ２０で撮影又は現像したものについては、フォルダ名とファイル名の数字とを用いて、画像ファイルが画像ファイル群に属するか否かを把握することができる。なお、フラッシュメモリ２６には、他の撮影装置で撮影及び現像された画像ファイルも保存されているものとした。また、フラッシュメモリ２６は、本体に固定されているフラッシュメモリ２６ａと、携帯用のメモリカード２６ｂとのいずれか一方により構成されているものとしてもよい。
【００２３】
操作パネル３０は、ユーザがデジタルカメラ２０に対して各種の指示を入力するためのデバイスであり、各種の指示に応じた文字、図形又は記号、及び画像が表示される表示部３２や、各種操作を行う操作部３４が設けられている。表示部３２は、カラー画像を表示する液晶パネルにより構成されている。操作部３４には、デジタルカメラ２０を起動、終了する際に押下される電源キー３４ａやユーザが処理や文字等を選択するカーソルなどを移動させるときに押下されるカーソルキー３４ｂ、処理選択などを決定するときに押下される決定キー３４ｃ、図示しない印刷装置にケーブル接続され画像を印刷指示する際に押下される印刷キー３４ｄなどのほか、図示しないが、選択した処理をキャンセルする際などに押下される戻りキー、画面などを切り替えるときに押下される表示切替キー、各種設定を行うメニュー画面を表示するときに押下されるメニューキーなどが配置されている。
【００２４】
コントローラ４０は、ＣＰＵ４２を中心とするマイクロプロセッサとして構成されており、ＣＰＵ４２の他に処理プログラムを記憶するＲＯＭ４４と、データを一時的に記憶するＲＡＭ４６と、図示しない入出力ポートおよび通信ポートとを備えている。コントローラ４０には、シャッタボタン２２からの押し信号、撮像ユニット２４からの各種信号、フラッシュメモリ２６から読み出した各種データ、操作パネル３０の操作部３４からの入力信号などが入力される。また、コントローラ４０からは、撮像ユニット２４への駆動信号、現像部２４ａへの現像指令、フラッシュメモリ２６への各種データの要求信号、操作パネル３０の表示部３２への表示信号などが出力される。
【００２５】
［第１実施形態］
次に、本実施形態のデジタルカメラ２０の動作、特にフラッシュメモリ２６に記憶されている画像を表示し所定の処理、ここでは、削除処理を行う際の動作について説明する。図３は、コントローラ４０のＣＰＵ４２により実行される画像選択表示処理ルーチンの一例を示すフローチャートである。このルーチンは、ＲＯＭ４４に記憶され、ユーザにより操作部３４が操作され図示しないメニュー画面の「画像ファイルの削除」が選択されたあと実行される。このルーチンが開始されると、ＣＰＵ４２は、まず、フラッシュメモリ２６に記憶された画像ファイルの情報（ファイル名など）を読み出し（ステップＳ１００）、読み出した画像ファイルが画像ファイル群に属するか否かを判定する（ステップＳ１１０）。画像ファイル群に属するか否かの判定は、同一フォルダにＪＰＥＧファイルとＲＡＷファイルとがあるか否かや、同じ番号を含むファイル名がＪＰＥＧファイルとＲＡＷファイルとにあるか否かに基づいて判定することができる。読み出した画像ファイルが画像ファイル群に属しないときには、単画像ファイルであるとしてＲＡＭ４６に記憶し（ステップＳ１２０）、画像ファイルが画像ファイル群に属するときには、画像ファイル群に属する画像ファイル、即ちＲＡＷファイルとこのＲＡＷファイルから生成したＪＰＥＧファイルのいずれかであるとしてＲＡＭ４６に記憶する（ステップＳ１３０）。次に、全ファイルをフラッシュメモリ２６から読み出したか否かを判定し（ステップＳ１４０）、全ファイルを読み出していないときには、ステップＳ１００以降の処理を実行し、全ファイルを読み出したときには、単画像ファイルについてはその画像を、画像ファイル群に属する画像ファイルについては含まれる画像のうちいずれかの画像を含むユーザにより選択可能な画像選択画面８０を表示部３２に表示させる（ステップＳ１５０）。
【００２６】
図４は、表示部３２に表示される画像選択画面８０の説明図であり、（ａ）が画像選択前の図、（ｂ）が画像選択後の図である。画像選択画面８０は、各画像ファイルのサムネイル画像を横３枚で２段となるよう画像ファイルの画像８０ａ〜８０ｆ（総称を画像８０とする）を配置し、カーソルキー３４ｂの左右キーの押下に伴いカーソル８１が移動し次ページや前ページを表示するよう設定されている。また、画像選択画面８０では、画像ファイル群の画像、例えば画像８０ａについては、単画像ファイルと異なる態様、ここでは、画像の外側に縁部８３ａ（総称を縁部８３とする）を付した縁付きの画像として表示するものとした（画像８０ａ，８０ｂ参照）。なお、画像ファイル群の画像は、ＪＰＥＧファイルに基づくサムネイル画像を最優先とし、次にＲＡＷファイルのサムネイル画像、サムネイル画像がない場合はＪＰＥＧファイルやＲＡＷファイルから作成したサムネイル画像を表示するものとした。なお、ＲＡＷファイルからサムネイル画像を作成する際には、現像処理を現像部２４ａで行い、現像部２４ａにより現像できない場合には、画像選択画面８０上で画像が表示されないものとした。
【００２７】
さて、ステップＳ１５０のあと、ＣＰＵ４２は、画像選択画面８０に表示されている画像が選択されたか否かを、決定キー３４ｃの押下に基づいて判定し（ステップＳ１６０）、画像が選択されていないときにはそのまま待機し、画像が選択されたときには画像ファイル群の画像が選択されたか否かを判定する（ステップＳ１７０）。画像ファイル群の画像が選択されたときには、図４（ｂ）に示すように、画像ファイル群のうちいずれの画像ファイルに対して削除処理を行うかをユーザにより選択可能な文字で表示する選択表示部８２を表示部３２に表示させる（ステップＳ１８０）。選択表示部８２は、ＲＡＷファイル、ＪＰＥＧファイル又はすべてのファイルの削除が選択可能なプルダウン表示である。
【００２８】
続いて、ＣＰＵ４２は、選択表示部８２に表示された選択肢のうちいずれかが選択されることにより画像ファイルが選択されたか否かを決定キー３４ｃの押下に基づいて判定し（ステップＳ１９０）、画像ファイルが選択されていないときはそのまま待機する。一方、画像ファイルが選択されたとき、又はステップＳ１７０で画像ファイル群以外の画像、即ち単画像ファイルの画像が選択されたあと、選択された画像ファイルに対し削除処理を実行し（ステップＳ２００）、そのままこのルーチンを終了する。このとき、ＲＡＷファイルが選択されたときにはＲＡＷファイルを削除し、ＪＰＥＧファイルが選択されたときにはＪＰＥＧファイルを削除し、すべての画像ファイルが選択されたときにはＲＡＷファイルとＪＰＥＧファイルの両方を削除する。
【００２９】
ここで、本実施形態の構成要素と本発明の構成要素との対応関係を明らかにする。本実施形態の表示部３２が本発明の表示手段に相当し、フラッシュメモリ２６が記憶手段に相当し、操作部３４が選択手段に相当し、撮像ユニット２４が撮像手段及び画像ファイル作成手段に相当し、ＣＰＵ４２が判定手段、指示取得手段及び制御手段に相当する。なお、本実施形態では、デジタルカメラ２０の動作を説明することにより本発明の画像表示方法の一例も明らかにしている。
【００３０】
以上詳述した本実施形態のデジタルカメラ２０によれば、フラッシュメモリ２６に記憶された画像ファイルが、ＲＡＷファイルとこのＲＡＷファイルに基づいて生成されるＪＰＥＧファイルとを含む画像ファイル群に属するか否かを判定し、画像ファイル群に属する画像ファイルの画像と、画像ファイル群に属さない単画像ファイルの画像とを選択可能な画像選択画面８０を表示部３２に表示し、操作部３４の操作により画像ファイル群の画像が選択されたときには、画像ファイル群に属するいずれの画像ファイルに削除処理を行うかをユーザが選択可能な文字で表示する選択表示部８２を表示部３２に表示する。このように、複数の画像のうち１つの画像が表示されるため、ユーザが目的のファイルを選択しやすい。また、いずれの画像ファイルに削除処理を行うかを文字として表示するため、ユーザが画像ファイル群に属する画像ファイルを個別に選択することができる。更に、ＲＡＷファイル及びＪＰＥＧファイルは、ＲＡＷファイルから圧縮してＪＰＥＧファイルを生成することが多いため、本発明を適用する意義が高い。更にまた、ユーザが画像選択画面８０の画像を選択すると、選択表示部８２が表示されるため、ユーザが画像ファイル群に属する画像と単画像ファイルの画像とを選択しやすい。更にまた、画像ファイル群の画像と、単画像ファイルの画像とを異なる態様で表示するため、表示された画像が１つのファイルのものであるか、２以上のファイルが含まれているものであるかを容易に視認することができる。
【００３１】
また、ユーザの操作部３４の操作により削除処理を実行する画像ファイルの選択処理の開始指示を取得したあと画像ファイルが画像ファイル群に属すか否かの判定を行うため、ユーザの望むときに選択する画像ファイルの画像を表示することができる。更に、画像ファイルの削除処理は、画像を表示して選択したのち実行することが多いため、本発明を適用する意義が高い。更にまた、画像ファイル群を表示する画像が１つで済むため、ＲＡＭ４６のリソースを低減することができ、ひいては処理を円滑に行うことができる。
【００３２】
［第２実施形態］
次に、本発明の第２実施形態を図面に基づいて説明する。この第２実施形態では、デジタルカメラ２０の構成は第１実施形態のものと同様の構成であるため、同一の構成については同一の符号を用いることとし、その説明を省略する。上述した第１実施形態では、画像ファイル群が選択されたあと、画像選択画面８０の表示のまま選択表示部８２を表示部３２へ表示するものとしたが、第２実施形態では、図５（ａ）に示すように、選択表示部８２を表示する際にＪＰＥＧファイルに基づく画像８０ａとこれの元画像ファイルであるＲＡＷファイルに基づく画像９０ａとを対比可能な態様で表示する画像選択画面１８０を表示部３２に表示するものとした。図５は、表示部３２に表示される画像選択画面１８０の説明図であり、（ａ）が画像選択前の図、（ｂ）が画像選択後の図である。ここでは、上述した画像選択画面８０（図４（ａ）参照）が表示され画像ファイル群に属する画像である画像８０ａ上にカーソル８１があるときに、所定の処理としての印刷処理を実行する印刷キー３４ｄが押下されると、ＪＰＥＧファイルに基づく画像８０ａとこれの元画像ファイルであるＲＡＷファイルに基づく画像９０ａとを並べて配置した画像選択画面１８０を表示部３２に表示するものとした（図５（ｂ）参照）。ここでは、現像部２４ａによりＲＡＷファイルを現像して生成したサムネイル画像を表示部３２の所定位置に配置するものとした。この現像処理には時間を要するため、先にＲＡＷファイルに格納されたサムネイル画像を表示したあと、現像が完了すると現像した画像に差し替えるなどしてもよい。このように、画像ファイル群の画像や単画像ファイルの画像などを並べた画像選択画面１８０を表示しあと、画像ファイル群の画像が選択され選択表示部１８２が表示されているときにＪＰＥＧファイルに基づく画像８０ａとこれの元画像ファイルであるＲＡＷファイルに基づく画像９０ａとを並べて配置するのである。画像ファイルは現像する機器の現像条件によって異なる画質（画調）となるから、ユーザは、この画像選択画面１８０のＪＰＥＧファイルの画質とＲＡＷファイルの画質とを確認し、いずれの画像ファイルに対してその後の処理（例えば印刷処理や削除処理など）を行うかを判断可能である。
【００３３】
また、この画像選択画面１８０では、選択されるとＲＡＷファイルとＪＰＥＧファイルとのうちいずれか一方が選択されるよう予め定められた処理を表す文字を配置した選択表示部１８２を、選択された画像の近傍（ここでは画像８０ａの下方）に表示するものとした。この選択表示部１８２は、選択されるとＪＰＥＧファイルを印刷する「高速印刷（Ｊ）」と、選択されるとＲＡＷファイルをデジタルカメラ２０のデフォルトの現像条件で現像処理を実行し現像したＪＰＥＧファイルを印刷する「きれいに印刷（Ｒ）」と、「きれいに印刷」を実行すると共に現像したＪＰＥＧファイルをフラッシュメモリ２６に保存する「きれいに印刷（保存）（Ｒ）」と、ユーザの設定した現像条件でＲＡＷファイルを現像して印刷を実行する「画質調整して印刷（Ｒ）」とが上下に配列して表示されるものとした。これらいずれかが選択されると、（Ｒ）が付されているものについてはＲＡＷファイルを現像部２４ａにより現像してその後の処理を実行し、（Ｊ）が付されているものについてはＪＰＥＧファイルを用いてその後の処理を実行するものとした。このように、予め画像ファイルと処理内容とを対応付けており、処理内容が選択されるとそれに用いる画像ファイルを選択することなく、その処理内容を実行するのである。
【００３４】
ここで、「画質調整して印刷」について説明する。この第２実施形態のデジタルカメラ２０は、例えば、撮像素子間における画素補間の方法や、ホワイトバランス処理の条件、ガンマ処理の条件などの現像条件をユーザが操作部３４を操作することにより入力可能に設定し、ユーザにより入力された現像条件に基づいてＲＡＷファイルからＪＰＥＧファイルを生成するように設定されている。このため、現像前であり、ＪＰＥＧファイルの生成に用いられるＲＡＷファイルの特徴を十分に生かすことができる。図６は、現像条件設定処理ルーチンの一例を表すフローチャートである。このルーチンは、ＲＯＭ４４に記憶され、図示しないメニュー画面で「現像条件の設定」が選択されて決定キー３４ｃが押下されたあとＣＰＵ４２によって実行される。このルーチンを開始すると、ＣＰＵ４２は、画像の現像に用いる現像条件の各々の数値を入力可能な図示しない現像条件設定画面を表示部３２に表示出力する（ステップＳ３００）。ここで、現像条件には、例えば、オプティカルな黒色レベルの値を減算処理して黒信号レベルをゼロにするオプティカルブラック処理、撮影時の光源による色味の違いを補正するホワイトバランス処理、各画素間の色情報を補間する画素補間処理、画像のサイズを変更するリサイズ処理、撮影された画像の色のバランスを調整する色再現処理、画像の輪郭を強調するシャープネス処理、画像のコントラストを調整すると共に画像の出力先の特性に合わせて適正なトーンを補正するガンマ補正処理などの条件が含まれる。次に、キー操作により数値が入力されたか否かを判定し（ステップＳ３１０）、入力されたときにはこの入力された値をフラッシュメモリ２６ａに保存し（ステップＳ３２０）、ステップＳ３２０のあと、またはステップＳ３１０で現像条件が入力されなかったあと、入力操作が終了したか否かを図示しない画面上に表示された入力終了ボタンが選択されたか否かに基づいて判定する（ステップＳ３３０）。入力操作が終了していないときにはステップＳ３００以降の処理を実行し、入力操作が終了したときにはこのルーチンを終了する。このようにＲＡＷファイルからＪＰＥＧファイルへ現像する際のパラメータをユーザが設定するのである。なお、パラメータの設定時に、ユーザが入力したパラメータにより生成される画像を表示部３２に表示してもよい。こうすれば、パラメータの値の変更がどのように画像に反映されるかをユーザが確認することができる。
【００３５】
以上詳述した第２実施形態のデジタルカメラ２０によれば、ユーザはＲＡＷファイルの画像とＪＰＥＧファイルの画像とを確認し、いずれの画像ファイルに対して所定の処理を行うかについて判断しやすいため、目的のファイルを選択しやすい。また、選択されるとＲＡＷファイルとＪＰＥＧファイルとのうちいずれか一方が選択されるよう予め定められた処理を文字で表示部３２へ表示するため、処理内容を選択するだけでＲＡＷファイルかＪＰＥＧファイルかに所定の処理がなされ、ユーザが入力する手間をよりかけずに目的のファイルを選択しやすい。更に、現像条件をユーザが設定し設定した条件で現像処理を実行可能であるため、よりＲＡＷファイルの利用を図ることができ、ユーザは、表示部３２で画質を確認した上でより望みの画質（画調）を得ることができる。
【００３６】
なお、本発明は上述した実施形態に何ら限定されることはなく、本発明の技術的範囲に属する限り種々の態様で実施し得ることはいうまでもない。
【００３７】
例えば、上述した第１実施形態では、所定の処理として削除処理を選択したのちに画像ファイルを選択するものとしたが、選択表示部８２（図４参照）を表示させて画像ファイルを選択させたのちに所定の処理を処理表示部で選択させるものとしてもよい。この処理表示部は、例えば、選択された画像ファイルに適した所定の処理として、削除、複製、移動、印刷、現像などのうち１以上を上下に配列したものとすることができる。こうしても、ユーザが、２以上の画像ファイルを含む画像ファイル群に属する画像ファイルを個別に選択することができると共に、目的のファイルを選択しやすい。
【００３８】
上述した第２実施形態では、画像が選択されたあと、６つのサムネイル画像を含む画面に画像８０ａと画像９０ａとを並べて配置した画像選択画面１８０を表示部３２に表示するものとしたが、図７に示すように、画像８０ａを選択したあと、表示部３２の全面にスクリーンネイルとしてのＪＰＥＧファイル（画像９１ａ）とＲＡＷファイル（画像９２ａ）とを並べて配置する画像選択画面２８０を表示部３２に表示するものとしてもよい。図７は、画像選択画面２８０の説明図である。この画像選択画面２８０では、画像９１ａに「ＪＰＥＧ」を表示するＪＰＥＧ表示部８６を配置し、画像９２ａに「ＲＡＷ」を表示するＲＡＷ表示部８７を配置するものとした。こうすれば、画質の違いなどをより画面で確認しやすい。なお、図７では、いずれの画像に基づいて印刷するかを表示する選択表示部２８２を表示しているが、選択表示部８２（図４）や選択表示部１８２（図５）などを配置するものとしてもよい。
【００３９】
上述した第２実施形態では、「高速印刷（Ｊ）」など、表現を簡素化した選択表示部１８２（図５参照）を表示部３２に表示するものとしたが、図８に示すように、「印刷のみ（Ｊ）」、「現像→印刷（Ｒ）」、「現像→保存→印刷（Ｒ）」、「調整→現像→印刷（Ｒ）」など具体的な処理を表示した選択表示部３８２を表示部３２に表示するものとしてもよい。図８は、画像選択画面３８０の説明図である。こうしても、処理内容を選択するだけでＲＡＷファイルかＪＰＥＧファイルかに所定の処理がなされるため、ユーザが入力する手間をよりかけずに目的のファイルを選択しやすい。
【００４０】
上述した第２実施形態では、画像ファイル群の画像が選択された場合は、ＪＰＥＧファイルとＲＡＷファイルの処理内容を含む選択表示部１８２を表示部３２に表示するものとしたが、単画像ファイルが選択された場合は、選択された画像ファイルに処理可能な選択肢のみを表示するものとしてもよいし、処理ができない選択肢をブラックアウトさせて選択できないものとしてもよい。なお、選択表示部３８２でも同様である。
【００４１】
上述した実施形態では、画像ファイルの削除処理や印刷処理の際に、画像ファイル群に属する画像ファイルのうち１つの画像をユーザにより選択可能な態様で表示部３２に表示し、画像ファイル群に属するいずれの画像ファイルに削除処理を行うかをユーザが選択可能な文字で示す選択表示部８２を表示部３２に表示する、つまり、画像ファイル群に属する画像ファイルの画像を１つだけ表示し、文字によりいずれかの画像ファイルかを選択可能に表示するものとしたが、画像ファイルの複製処理や移動処理、ＲＡＷファイルの現像処理などの際に、画像ファイル群に属する画像ファイルの画像を１つだけ表示し、文字によりいずれかの画像ファイルかを選択可能に表示するものとしてもよい。こうしても、上述した実施形態と同様の効果が得られる。
【００４２】
上述した実施形態では、ユーザの操作部３４の操作により削除処理や印刷処理を実行する画像ファイルの選択処理の開始指示により、画像ファイル群に属する画像ファイルの画像を１つだけ表示し、文字によりいずれかの画像ファイルかを選択可能に表示するものとしたが、特にこれに限られない。例えば、フラッシュメモリ２６に記憶された画像ファイルの情報を一時的に記憶するＲＡＭ４６に記憶した画像ファイルの情報量が所定の許容記憶量（例えば全体の８割など）を超えたときに、画像ファイル群に属する画像ファイルの画像を１つだけ表示し、文字によりいずれかの画像ファイルかを選択可能に表示するものとしてもよいし、フラッシュメモリ２６に記憶した記憶量が所定の許容記憶量（例えば全体の８割など）を超えたときに、画像ファイル群に属する画像ファイルの画像を１つだけ表示し、文字によりいずれかの画像ファイルを削除するかを選択可能に表示するものとしてもよい。こうしても、ユーザが、２以上の画像ファイルを含む画像ファイル群に属する画像ファイルを個別に選択することができると共に、目的のファイルを選択しやすい。また、ＲＡＭ４６やフラッシュメモリ２６に記憶した情報の記憶量を抑えることができるため、表示処理や削除処理などを円滑に行うことができる。あるいは、表示部３２に表示する画像数が所定の許容数以上であるときに、画像ファイル群に属する画像ファイルの画像を１つだけ表示し、文字によりいずれかの画像ファイルかを選択可能に表示するものとしてもよい。ここで、「所定の許容数」は、表示部３２の１ページに画像を表示可能な数としてもよい。こうすれば、許容数以上となるのを抑制する、即ち、画像表示が２ページ以上になるのを抑制し、表示する画像の数が低減するため、効率よく目的のファイルを選択することができる。
【００４３】
上述した実施形態では、デジタルカメラ２０として本発明を説明したが、画像ファイル群に属する画像ファイルを表示するものであれば特に限定されず、画像を再生するピクチャービューワや、デジタルビデオ、カメラ付き携帯電話などに適用してもよいし、表示部を備えたプリンタ、ＦＡＸなどの印刷装置などに本発明を適用してもよい。なお、画像ファイルは、ＲＡＷファイルとＪＰＥＧファイルとを用いて説明したが、他の画像ファイル、例えばＢＭＰファイルやＴＩＦＦファイルなどに適用してもよい。また、選択表示部８２は、文字表示するものとしたが、記号や図形を用いてもよい。更に、デジタルカメラ２０の態様で説明したが、画像表示方法の態様としてもよいし、この画像表示方法のプログラムの態様としてもよい。
【図面の簡単な説明】
【００４４】
【図１】デジタルカメラ２０の構成の概略を示す説明図である。
【図２】フラッシュメモリ２６に記憶された情報の説明図である。
【図３】画像選択表示処理ルーチンの一例を示すフローチャートである。
【図４】表示部３２に表示される画像選択画面８０の説明図である。
【図５】画像選択画面１８０の説明図である。
【図６】現像条件設定処理ルーチンの一例を表すフローチャートである。
【図７】画像選択画面２８０の説明図である。
【図８】画像選択画面３８０の説明図である。
【符号の説明】
【００４５】
２０  デジタルカメラ、２２  シャッタボタン、２４  撮像ユニット、２４ａ  現像部、２６，２６ａ  フラッシュメモリ、２６ｂ  メモリカード、２８  バス、３０  操作パネル、３２  表示部、３４  操作部、３４ａ  電源キー、３４ｂ  カーソルキー、３４ｃ  決定キー、３４ｄ  印刷キー、４０  コントローラ、４２  ＣＰＵ、４４  ＲＯＭ、４６  ＲＡＭ、８０，１８０，２８０，３８０  画像選択画面、８０ａ〜８０ｆ，９０ａ，９１ａ，９２ａ  画像、８１  カーソル、８２，１８２，２８２，３８２  選択表示部、８３，８３ａ、８３ｂ  縁部、８６  ＪＰＥＧ表示部、８７  ＲＡＷ表示部。
【図１】
2008109631.tif 000003
【図２】
2008109631.tif 000004
【図３】
2008109631.tif 000005
【図４】
2008109631.tif 000006
【図５】
2008109631.tif 000007
【図６】
2008109631.tif 000008
【図７】
2008109631.tif 000009
【図８】
2008109631.tif 000010